(57)【特許請求の範囲】
【請求項１】
中継装置と、画像処理装置と、端末装置と、を備える通信システムであって、
前記中継装置は、
前記画像処理装置、前記端末装置、および、サーバ装置と通信可能な通信部と、
制御部と、を備え、
前記画像処理装置は、
前記中継装置と通信可能な第１の通信部と、
前記端末装置と所定距離内に近接することに応じて通信を実行可能な近距離無線通信方式に従って、前記端末装置と通信可能な第２の通信部と、
制御部と、を備え、
前記端末装置は、
前記中継装置と通信可能な第３の通信部と、
前記近距離無線通信方式に従って、前記画像処理装置と通信可能な第４の通信部と、
表示部と、
制御部と、を備え、
前記中継装置の前記制御部は、
対象画像データを前記サーバ装置から受信する第１の画像データ受信手段と、
前記対象画像データを変換して、変換済みデータを生成する変換手段と、
前記変換済みデータにアクセスするための第１のアクセス情報を前記画像処理装置に送信する第１の情報送信手段と、を備え、
前記画像処理装置の前記制御部は、
前記中継装置から前記第１のアクセス情報を受信する第１の情報受信手段と、
前記端末装置の前記所定距離内への近接を検出することに応じて、前記近距離無線通信方式に従って、前記第１のアクセス情報を前記端末装置に送信する第２の情報送信手段と、を備え、
前記端末装置の前記制御部は、
前記近距離無線通信方式に従って、前記画像処理装置から前記第１のアクセス情報を受信する第２の情報受信手段と、
前記第１のアクセス情報の受信に応じて、前記中継装置から前記変換済みデータを受信する変換済みデータ受信手段と、
前記変換済みデータが受信された後に、前記変換済みデータによって表わされる変換済み画像を前記端末装置の前記表示部に表示させる表示制御手段と、
前記第１のアクセス情報が前記画像処理装置から受信された後に、前記近距離無線通信方式を用いて、前記対象画像データに対する画像処理を実行させるための画像処理命令を前記画像処理装置に送信する処理命令送信手段と、を備え、
前記画像処理装置の前記制御部は、さらに、
前記端末装置の前記所定距離内への近接を検出することに応じて前記近距離無線通信方式に従って、前記端末装置から前記画像処理命令を受信する処理命令受信手段と、
前記画像処理命令に応じて、前記対象画像データを要求するための要求信号を前記中継装置に送信する要求送信手段と、を備え、
前記中継装置の前記制御部は、さらに、
前記画像処理装置から前記要求信号を受信する要求受信手段と、
前記要求信号に応じて、前記対象画像データを前記画像処理装置に送信する画像データ送信手段と、を備え、
前記画像処理装置の前記制御部は、さらに、
前記中継装置から前記対象画像データを受信する第２の画像データ受信手段と、
前記対象画像データに画像処理を実行する画像処理手段と、を備える、通信システム。
【請求項２】
前記中継装置の前記第１の情報送信手段は、さらに、前記対象画像データを識別するための識別情報を前記画像処理装置に送信し、
前記画像処理装置の前記第１の情報受信手段は、さらに、前記中継装置から前記識別情報を受信し、
前記画像処理装置の前記第２の情報送信手段は、さらに、前記近距離無線通信方式に従って、前記識別情報を前記端末装置に送信し、
前記端末装置の前記第２の情報受信手段は、さらに、前記近距離無線通信方式に従って、前記画像処理装置から前記識別情報を受信し、
前記端末装置の前記制御部は、さらに、
前記変換済みデータの受信された後に、前記変換済みデータを編集するための特定情報を生成する生成手段と、
前記特定情報と前記識別情報とを前記中継装置に送信する特定情報送信手段と、を備え、
前記中継装置は、さらに、
前記特定情報と前記識別情報とを前記端末装置から受信する特定情報受信手段と、
前記特定情報の受信に応じて、前記変換済みデータが編集されたデータである編集済みデータを生成する編集手段と、
前記編集済みデータを前記端末装置に送信する編集済みデータ送信手段と、を備え、
前記端末装置の前記制御部は、さらに、
前記中継装置から前記編集済みデータを受信する編集済みデータ受信手段を備え、
前記端末装置の前記表示制御手段は、さらに、前記編集済みデータが受信された後に、前記編集済みデータによって表わされる編集済み画像を前記端末装置の前記表示部に表示させ、
前記端末装置の前記処理命令送信手段が送信する前記画像処理命令は、前記特定情報に基づいて前記対象画像データに画像処理を実行することを前記画像処理装置に指示する命令である、
請求項１に記載の通信システム。
【請求項３】
前記端末装置の前記制御部は、さらに、
前記変換済みデータが受信された後に、前記変換済みデータを編集するための特定情報を生成する生成手段と、
前記変換済みデータを編集するための編集指示、又は、前記画像処理を実行するための画像処理指示の入力を受け付ける第１の受付手段と、
前記第１の受付手段が前記編集指示を受け付けた場合に、前記近距離無線通信方式に従って、前記特定情報を前記画像処理装置に送信する特定情報送信手段と、を備え、
前記画像処理装置の前記制御部は、さらに、
前記端末装置の前記所定距離内への近接を検出することに応じて、前記近距離無線通信方式に従って、前記端末装置の前記特定情報送信手段から送信された前記特定情報を受信する特定情報受信手段と、
前記特定情報を前記中継装置に送信する第３の情報送信手段と、を備え、
前記中継装置の前記制御部は、さらに、
前記画像処理装置から前記特定情報を受信する第３の情報受信手段と、
前記特定情報の受信に応じて、前記変換済みデータが編集されたデータである編集済みデータを生成する編集手段と、
前記編集済みデータにアクセスするための第２のアクセス情報を前記画像処理装置に送信する第４の情報送信手段と、を備え、
前記画像処理装置の前記制御部は、さらに、
前記中継装置から前記第２のアクセス情報を受信する第４の情報受信手段と、
前記端末装置の前記所定距離内への近接を検出することに応じて、前記近距離無線通信方式に従って、前記第２のアクセス情報を前記端末装置に送信する第５の情報送信手段と、を備え、
前記端末装置の前記制御部は、さらに、
前記近距離無線通信方式に従って、前記画像処理装置から前記第２のアクセス情報を受信する第５の情報受信手段と、
前記第２のアクセス情報に基づいて、前記中継装置から前記編集済みデータを受信する編集済みデータ受信手段と、を備え、
前記端末装置の前記表示制御手段は、さらに、前記編集済みデータが受信された後に、前記編集済みデータによって表わされる編集済み画像を前記端末装置の前記表示部に表示させ、
前記端末装置の前記処理命令送信手段が送信する前記画像処理命令は、
前記特定情報に基づいて前記対象画像データに画像処理を実行することを前記画像処理装置に指示する命令であり、
前記処理命令送信手段は、前記第１の受付手段が前記画像処理指示を受け付けた場合に、前記画像処理命令を前記画像処理装置に送信する、請求項１に記載の通信システム。
【請求項４】
前記画像処理装置は、さらに、表示部を備え、
前記画像処理装置の前記制御部は、さらに、
前記変換済みデータの編集を指示する第１のオプション、又は、前記画像処理の実行を指示する第２のオプションを選択するための選択画面を前記画像処理装置の前記表示部に表示させる表示制御手段を備え、
前記画像処理装置の前記表示制御手段は、前記第１のアクセス情報が受信された後に、前記選択画面を前記画像処理装置の前記表示部に表示させ、
ユーザによって前記第１のオプションが選択される場合には、
前記画像処理装置の前記特定情報受信手段は、前記端末装置から前記特定情報を受信し、
ユーザによって前記第２のオプションが選択される場合には、
前記画像処理装置の前記特定情報受信手段は、前記端末装置から前記特定情報を受信せず、
処理命令受信手段は、前記端末装置から前記画像処理命令を受信せず、
前記画像処理命令が受信されなくても、前記要求信号を前記中継装置に送信する、請求項３に記載の通信システム。
【請求項５】
前記端末装置の前記生成手段は、前記変換済み画像が表示された後に、前記端末装置の操作部に入力されたユーザの操作に基づいて、前記特定情報を生成する、請求項２から４のいずれか一項に記載の通信システム。
【請求項６】
前記変換済みデータによって表わされる変換済み画像は、前記対象画像データによって表わされる画像のプレビュー画像である、請求項１から５のいずれか一項に記載の通信システム。
【請求項７】
前記画像処理は、印刷処理である、請求項１から６のいずれか一項に記載の通信システム。
【請求項８】
前記特定情報は、前記画像処理で利用されるパラメータ情報である、請求項２から５のいずれか一項に記載の通信システム。
【請求項９】
前記中継装置の前記制御部は、さらに、
前記対象画像データを含む複数個の画像データに対応する複数個の対応情報を前記サーバ装置から受信する第６の情報受信手段と、
前記複数個の対応情報を前記画像処理装置に送信する第６の情報送信手段と、を備え、
前記画像処理装置の前記制御部は、さらに、
前記複数個の対応情報の中から、前記対象画像データに対応する対象対応情報が選択されることを受け付ける第２の受付手段と、
前記対象対応情報を前記中継装置に送信する第８の送信手段と、を備え、
前記中継装置の前記第１の画像データ受信手段は、前記対象対応情報に基づいて前記対象画像データを前記サーバ装置から受信する、請求項１から８のいずれか一項に記載の通信システム。
【請求項１０】
中継装置と、画像処理装置と、端末装置と、を備える通信システムの制御方法であって、
前記中継装置は、
前記画像処理装置、前記端末装置、および、サーバ装置と通信可能な通信部を備え、
前記画像処理装置は、
前記中継装置と通信可能な第１の通信部と、
前記端末装置と所定距離内に近接することに応じて通信を実行可能な近距離無線通信方式に従って、前記端末装置と通信可能な第２の通信部と、を備え、
前記端末装置は、
前記中継装置と通信可能な第３の通信部と、
前記近距離無線通信方式に従って、前記画像処理装置と通信可能な第４の通信部と、
表示部と、を備え、
対象画像データを前記サーバ装置から受信する中継装置側第１の画像データ受信ステップと、
前記対象画像データを変換して、変換済みデータを生成する中継装置側変換ステップと、
前記変換済みデータにアクセスするための第１のアクセス情報を前記画像処理装置に送信する中継装置側第１の情報送信ステップと、
前記中継装置から前記第１のアクセス情報を受信する画像処理装置側第１の情報受信ステップと、
前記端末装置の前記所定距離内への近接を検出することに応じて、前記近距離無線通信方式に従って、前記第１のアクセス情報を前記端末装置に送信する画像処理装置側第２の情報送信ステップと、
前記近距離無線通信方式に従って、前記画像処理装置から前記第１のアクセス情報を受信する端末装置側第２の情報受信ステップと、
前記第１のアクセス情報の受信に応じて、前記中継装置から前記変換済みデータを受信する端末装置側変換済みデータ受信ステップと、
前記変換済みデータが受信された後に、前記変換済みデータによって表わされる変換済み画像を前記端末装置の前記表示部に表示させる端末装置側表示制御ステップと、
前記第１のアクセス情報が前記画像処理装置から受信された後に、前記近距離無線通信方式を用いて、前記対象画像データに対する画像処理を実行させるための画像処理命令を前記画像処理装置に送信する端末装置側処理命令送信ステップと、
前記端末装置の前記所定距離内への近接を検出することに応じて前記近距離無線通信方式に従って、前記端末装置から前記画像処理命令を受信する画像処理装置側処理命令受信ステップと、
前記画像処理命令に応じて、前記対象画像データを要求するための要求信号を前記中継装置に送信する画像処理装置側要求送信ステップと、
前記画像処理装置から前記要求信号を受信する中継装置側要求受信ステップと、
前記要求信号に応じて、前記対象画像データを前記画像処理装置に送信する中継装置側画像データ送信ステップと、
前記中継装置から前記対象画像データを受信する画像処理装置側第２の画像データ受信ステップと、
前記対象画像データに画像処理を実行する画像処理装置側画像処理ステップと、を備える、制御方法。
【請求項１１】
画像処理装置であって、
中継装置と通信可能な第１の通信部と、
端末装置と所定距離内に近接することに応じて通信を実行可能な近距離無線通信方式に従って、前記端末装置と通信可能な第２の通信部と、
制御部と、を備え、
前記画像処理装置の制御部は、
前記中継装置から第１のアクセス情報を受信する第１の情報受信手段であって、前記第１のアクセス情報は、前記中継装置が、対象画像データを変換することによって生成する変換済みデータにアクセスするための情報であり、前記対象画像データは、サーバ装置から前記中継装置に送信された情報である、前記第１の情報受信手段と、
前記端末装置の前記所定距離内への近接を検出することに応じて、前記近距離無線通信方式に従って、前記第１のアクセス情報を前記端末装置に送信する第２の情報送信手段であって、前記第１のアクセス情報は、前記端末装置が前記中継装置から前記変換済みデータを受信するため、および、前記変換済みデータによって表わされる変換済み画像を表示するため、に利用される情報である、前記第２の情報送信手段と、
前記第１のアクセス情報が前記端末装置に送信された後に、前記端末装置の前記所定距離内への近接を検出することに応じて前記近距離無線通信方式に従って、前記対象画像データに対する画像処理を実行させるための画像処理命令を前記端末装置から受信する処理命令受信手段と、
前記画像処理命令に応じて、前記対象画像データを要求するための要求信号を前記中継装置に送信する要求送信手段と、
前記要求信号が送信された後に、前記中継装置から前記対象画像データを受信する第２の画像データ受信手段と、
前記対象画像データに画像処理を実行する画像処理手段と、を備える、画像処理装置。
【発明の詳細な説明】
【技術分野】
【０００１】
本明細書では中継装置と、画像処理装置と、端末装置と、を備える通信システムを開示する。
【背景技術】
【０００２】
画像処理装置が、サーバ装置内の画像データに画像処理を実行させるために、端末装置を利用する技術が知られている。例えば、特許文献１には、モバイル端末と、画像処理装置と、画像管理サーバと、を備える画像管理システムが開示されている。画像管理サーバは、ユーザＩＤと印刷ジョブとを関連付けて格納している。モバイル端末は、画像処理装置のデバイスＩＤに関連付けられたキーと、ユーザＩＤと、を利用して、画像管理サーバに認証を実行させる。その結果、画像管理サーバには、デバイスＩＤとユーザＩＤとに関連付けられた印刷ジョブが記憶される。これにより、画像処理装置は、デバイスＩＤを画像管理サーバに送信すると、デバイスＩＤに関連付けられた印刷ジョブを受信し、印刷を実行する。
【先行技術文献】
【特許文献】
【０００３】
【特許文献１】特開２０１５−３５２０８号公報
【発明の概要】
【発明が解決しようとする課題】
【０００４】
上記の技術では、ユーザは、印刷（即ち画像処理）の前に、印刷結果を確認することについて何ら考慮されていない。本明細書では、画像処理装置による画像処理が実行される前に、端末装置を利用して画像処理の結果に関する情報を提供する技術を開示する。
【課題を解決するための手段】
【０００５】
本明細書に記載されている通信システムは、中継装置と、画像処理装置と、端末装置と、を備える通信システムであって、中継装置は、画像処理装置、端末装置、および、サーバ装置と通信可能な通信部と、制御部と、を備え、画像処理装置は、中継装置と通信可能な第１の通信部と、端末装置と所定距離内に近接することに応じて通信を実行可能な近距離無線通信方式に従って、端末装置と通信可能な第２の通信部と、制御部と、を備え、端末装置は、中継装置と通信可能な第３の通信部と、近距離無線通信方式に従って、画像処理装置と通信可能な第４の通信部と、表示部と、制御部と、を備え、中継装置の制御部は、対象画像データをサーバ装置から受信する第１の画像データ受信手段と、対象画像データを変換して、変換済みデータを生成する変換手段と、変換済みデータにアクセスするための第１のアクセス情報を画像処理装置に送信する第１の情報送信手段と、を備え、画像処理装置の制御部は、中継装置から第１のアクセス情報を受信する第１の情報受信手段と、端末装置の所定距離内への近接を検出することに応じて、近距離無線通信方式に従って、第１のアクセス情報を端末装置に送信する第２の情報送信手段と、を備え、端末装置の制御部は、近距離無線通信方式に従って、画像処理装置から第１のアクセス情報を受信する第２の情報受信手段と、第１のアクセス情報の受信に応じて、中継装置から変換済みデータを受信する変換済みデータ受信手段と、変換済みデータが受信された後に、変換済みデータによって表わされる変換済み画像を端末装置の表示部に表示させる表示制御手段と、第１のアクセス情報が画像処理装置から受信された後に、近距離無線通信方式を用いて、対象画像データに対する画像処理を実行させるための画像処理命令を画像処理装置に送信する処理命令送信手段と、を備え、画像処理装置の制御部は、さらに、端末装置の所定距離内への近接を検出することに応じて近距離無線通信方式に従って、端末装置から画像処理命令を受信する処理命令受信手段と、画像処理命令に応じて、対象画像データを要求するための要求信号を中継装置に送信する要求送信手段と、を備え、中継装置の制御部は、さらに、画像処理装置から要求信号を受信する要求受信手段と、要求信号に応じて、対象画像データを画像処理装置に送信する画像データ送信手段と、を備え、画像処理装置の制御部は、さらに、中継装置から対象画像データを受信する第２の画像データ受信手段と、対象画像データに画像処理を実行する画像処理手段と、を備える。
【０００６】
上記の構成によると、端末装置は、近距離無線通信方式に従って、変換済みデータにアクセスするための第１のアクセス情報を画像処理装置から受信する。端末装置は、第１のアクセス情報の受信に応じて、中継装置から変換済みデータを受信すると、変換済みデータによって表わされる変換済み画像を表示する。画像処理装置は、第１のアクセス情報が端末装置に受信された後に、近距離無線通信方式に従って、端末装置から画像処理命令を受信すると、中継装置から対象画像データを受信して、対象画像データに画像処理を実行する。即ち、端末装置は、対象画像データに対する画像処理が実行される前に、対象画像データに関係する変換済み画像を表示して、画像処理の結果に関する情報を提供する。従って、ユーザは、端末装置に表示された変換済み画像を見ることによって、画像処理が実行される前に、画像処理の結果を確認し得る。
【０００７】
請求項２に記載の通信システムによれば、端末装置は、特定情報に基づいて生成された編集済みデータによって表わされる編集済み画像を表示する。また、画像処理装置は、特定情報に基づいて対象画像データに画像処理を実行する。ユーザは、端末装置に表示された編集済み画像を見ることによって、画像処理が実行される前に、特定情報に基づいた画像処理の結果を確認し得る。また、中継装置は、識別情報を利用して、対象画像データと特定情報とを関連付けることができる。そのため、端末装置は、画像処理装置を介さずに、特定情報と識別情報とを中継装置に送信することによって、中継装置から編集済みデータを受信することができる。即ち、ユーザは、編集済み画像を見るために、端末装置を画像処理装置に近接させて近距離無線通信を実行させなくてもよいので、利便性が向上する。
【０００８】
請求項３に記載の通信システムによれば、請求項２と同様に、ユーザは、端末装置に表示された編集済み画像を見ることによって、画像処理が実行される前に、特定情報に基づいた画像処理の結果を確認し得る。また、端末装置は、編集指示と画像処理指示とのいずれが入力されたのかに応じて、編集済み画像を表示することができる。
【０００９】
請求項４に記載の通信システムによれば、画像処理装置は、第１のオプションが選択される場合には、特定情報に基づいて対象画像データに画像処理を実行することができる。一方、画像処理装置は、第２のオプションが選択される場合には、特定情報に基づかずに対象画像データに画像処理を実行することができる。
【００１０】
請求項５に記載の通信システムによれば、ユーザは、端末装置に特定情報を生成させるための操作を端末装置の操作部に入力する。通常、端末装置の操作部は、画像処理装置の操作部に比して操作性が高いので、操作を入力する際のユーザの利便性を高くすることができる。
【００１１】
請求項６に記載の通信システムによれば、ユーザは、端末装置に表示されたプレビュー画像を見ることによって、画像処理が実行される前に、画像処理の結果を適切に確認し得る。
【００１２】
請求項７に記載の通信システムによれば、ユーザは、端末装置に表示された変換済み画像を見ることによって、印刷処理が実行される前に、印刷結果を確認し得る。
【００１３】
請求項８に記載の通信システムによれば、中継装置は、特定情報に基づいて編集済みデータを適切に生成することができる。また、画像処理装置は、特定情報に基づいて対象画像データに画像処理を適切に実行することができる。
【００１４】
請求項９に記載の通信システムによれば、ユーザは、複数個の画像データの中から対象画像データを適切に選択することができる。
【００１５】
なお、上記の通信システムを実現するための方法も、新規で有用である。また、上記の通信システムが備える各機器（即ち、中継装置、画像処理装置又は端末装置）、各機器を実現するためのコンピュータプログラム、および、当該コンピュータプログラムを格納するコンピュータ読取可能記録媒体も、新規で有用である。また、上記中継装置、画像処理装置又は端末装置のうちの２個の機器を備える通信システム、および、当該通信システムを実現するための方法も、新規で有用である。
【図面の簡単な説明】
【００１６】
【図１】通信システムの構成を示す。
【図２】各デバイスが実行する各処理のシーケンス図を示す。
【図３】各デバイスが実行する各処理のシーケンス図を示す。
【図４】各デバイスが実行する各処理のシーケンス図を示す。
【図５】メイン画面の表示例を示す。
【図６】サーバ選択画面の表示例を示す。
【図７】ファイル選択画面の表示例を示す。
【図８】プレビュー選択画面の表示例を示す。
【図９】メッセージ画面の表示例を示す。
【図１０】プレビュー画面の表示例を示す。
【図１１】編集が選択された場合のプレビュー画面の表示例を示す。
【図１２】編集済みプレビュー画面の表示例を示す。
【図１３】各デバイスが実行する各処理のシーケンス図を示す。
【図１４】各デバイスが実行する各処理のシーケンス図を示す。
【図１５】印刷／編集選択画面の表示例を示す。
【発明を実施するための形態】
【００１７】
（第１実施例）
（システムの構成）
図１に示されるように、通信システム２は、多機能機１０と、仲介サーバ６０と、コンテンツサーバ１００、１１０と、変換サーバ１５０と、携帯端末２００と、を備えている。多機能機１０は、ＬＡＮ４に接続されている。仲介サーバ６０、コンテンツサーバ１００および１１０、および、変換サーバ１５０は、インターネット６に接続されている。携帯端末２００は、図示省略の基地局を介して、インターネット６に接続されている。
【００１８】
（多機能機１０の構成）
多機能機１０は、印刷機能、スキャン機能、コピー機能、ＦＡＸ機能等の多機能を実行可能である。多機能機１０は、操作部１２と、表示部１４と、ネットワークインターフェイス１６と、ＮＦＣ（Near Field Communication（近距離無線通信）の略）インターフェイス１７と、印刷実行部１８と、スキャン実行部１９と、制御部２０と、を備える。操作部１２は、複数のキーを備える。ユーザは、操作部１２を操作することによって、様々な指示を多機能機１０に入力することができる。表示部１４は、様々な情報を表示するためのディスプレイである。ネットワークインターフェイス１６は、ＬＡＮ４に接続されている。以下では、インターフェイスのことをＩ／Ｆと記載する場合がある。
【００１９】
ＮＦＣ＿Ｉ／Ｆ１７は、通信回路を含むＩＣチップを有し、いわゆる近距離無線通信のためのＮＦＣ方式に従った無線通信（以下では「ＮＦＣ通信」と呼ぶ）を実行する。ＮＦＣ方式は、例えば、ＩＳＯ／ＩＥＣ２１４８１又は１８０９２の国際標準規格に基づく無線通信手順である。ＮＦＣ＿Ｉ／Ｆ１７は、多機能機１０がＮＦＣ待機状態である場合において、他の機器のＮＦＣ＿Ｉ／Ｆ（例えば携帯端末２００のＮＦＣ＿Ｉ／Ｆ２６８）が所定距離（例：１０ｃｍ）内に近接することを検出して、当該ＮＦＣ＿Ｉ／ＦとのＮＦＣ通信を自動的に実行する。一方、ＮＦＣ＿Ｉ／Ｆ１７は、多機能機１０がＮＦＣ待機状態でない場合において、ＮＦＣ通信を自動的に実行することができない。詳しくは後述するが、多機能機１０は、ＮＦＣ実行命令データに従った処理を実行することによって、ＮＦＣ待機状態となる。
【００２０】
印刷実行部１８は、インクジェット方式、レーザ方式等の印刷機構を備える。スキャン実行部１９は、ＣＣＤ、ＣＩＳ等のスキャン機構を備える。制御部２０は、ＣＰＵ２２と、メモリ２４と、を備える。ＣＰＵ２２は、メモリ２４に格納されているプログラム２５に従って、様々な処理を実行する。
【００２１】
（仲介サーバ６０の構成）
仲介サーバ６０は、変換サーバ１５０、コンテンツサーバ１００および１１０とは別体に構成されているサーバである。仲介サーバ６０は、コンテンツサーバ１００および１１０から多機能機１０への各種データの提供を仲介するためのサーバである。仲介サーバ６０は、多機能機１０のベンダによって提供されるサーバである。仲介サーバ６０は、ネットワークＩ／Ｆ６２と、制御部７０と、を備える。ネットワークＩ／Ｆ６２は、インターネット６に接続されている。制御部７０は、ＣＰＵ７２と、メモリ７４と、を備える。メモリ７４には、プログラム７５が記憶されている。ＣＰＵ７２は、プログラム７５に従って、様々な処理を実行する。
【００２２】
（変換サーバ１５０の構成）
変換サーバ１５０は、仲介サーバ６０、コンテンツサーバ１００および１１０、とは別体に構成されているサーバである。変換サーバ１５０は、後述する対象画像ファイルを変換して、プレビュー画像ファイルを生成するためのサーバである。変換サーバ１５０は、多機能機１０のベンダによって提供されるサーバであってもよい。変換サーバ１５０は、ネットワークＩ／Ｆ１６２と、制御部１７０と、を備える。ネットワークＩ／Ｆ１６２は、インターネット６に接続されている。制御部１７０は、ＣＰＵ１７２と、メモリ１７４と、を備える。メモリ１７４には、プログラム１７５が記憶されている。ＣＰＵ１７２は、プログラム１７５に従って、様々な処理を実行する。
【００２３】
（携帯端末２００の構成）
携帯端末２００は、Ａｎｄｒｏｉｄ（Google Inc.の登録商標）のプラットフォームを搭載した携帯端末である。携帯端末２００は、操作部２６２と、表示部２６４と、ネットワークＩ／Ｆ２６６と、ＮＦＣ＿Ｉ／Ｆ２６８と、制御部２７０と、を備える。操作部２６２は、透明な部材により形成されているタッチパネルである。操作部２６２（即ちタッチパネル）は、表示部２６４の表面を覆うようにして配設されている。操作部２６２は、ユーザの指などが近接又は接触した位置を検出し、検出した位置情報をＣＰＵ２７２へ出力する。即ち、ユーザは、タッチパネルを操作することによって、様々な指示を携帯端末２００に入力することができる。当該操作は、表示部２６４の表面を覆うタッチパネルに実行されているため、表示部２６４において実行されているといえる。表示部２６４は、様々な情報を表示するためのディスプレイであり、例えばＬＣＤや、有機ＥＬパネルなどにより形成されている。ネットワークＩ／Ｆ２６６は、図示省略の基地局に接続されている。ＮＦＣ＿Ｉ／Ｆ２６８は、ＮＦＣ＿Ｉ／Ｆ１７と同様の構成を備える。制御部２７０は、ＣＰＵ２７２と、メモリ２７４と、を備える。ＣＰＵ２７２は、メモリ２７４に格納されているプログラム２７５に従って、様々な処理を実行する。
【００２４】
本明細書における記載上の注意点を説明する。本明細書において、「仲介サーバ６０のＣＰＵ７２が、各種の情報を受信する」という記載は、「仲介サーバ６０のＣＰＵ７２が、ネットワークＩ／Ｆ６２を介して各種の情報を取得する」という技術内容を含んでいるものとする。また、「仲介サーバ６０のＣＰＵ７２が、各種の情報を送信する」という記載は、「仲介サーバ６０のＣＰＵ７２が、ネットワークＩ／Ｆ６２を介して各種の情報を出力する」という技術内容を含んでいるものとする。また、変換サーバ１５０のＣＰＵ１７２およびネットワークＩ／Ｆ１６２についても、同様の注意点が存在する。また、多機能機１０のＣＰＵ２２およびネットワークＩ／Ｆ１６についても、同様の注意点が存在する。ただし、「多機能機１０のＣＰＵ２２が、ＮＦＣ＿Ｉ／Ｆ１７を介して各種の情報を受信（又は送信）する」という記載についてはこの限りではない。また、携帯端末２００のＣＰＵ２７２およびネットワークＩ／Ｆ２６６についても、同様の注意点が存在する。ただし、「携帯端末２００のＣＰＵ２７２が、ＮＦＣ＿Ｉ／Ｆ２６８を介して各種の情報を受信（又は送信）する」という記載についてはこの限りではない。
【００２５】
本明細書では、仲介サーバ６０および変換サーバ１５０がインターネット６で接続されている場合（すなわち、仲介サーバ６０として機能する装置、変換サーバ１５０として機能する装置が互いに物理的に離れた位置に配置されている場合）を説明したが、この形態に限られない。仲介サーバ６０と変換サーバ１５０とが１のサーバ装置で実現されてもよい。仲介サーバ６０と変換サーバ１５０とが１のサーバ装置で実現される場合、当該１のサーバ装置には、仲介サーバ６０として機能するプログラムと、変換サーバ１５０として機能するプログラムとが稼動し、両プログラム間の通信は、サーバ装置内のバスラインなどを介して行われる。なお、仲介サーバ６０と変換サーバ１５０とが、１のサーバ装置で実現される構成の場合、本明細書で、仲介サーバ６０と変換サーバ１５０との間の通信として説明している通信が、仲介サーバ６０として機能するプログラムと、変換サーバ１５０として機能するプログラムとの間で行われることとしてよい。また、仲介サーバ６０として機能し、かつ、変換サーバ１５０としても機能するプログラムが、１のサーバ装置で稼動する形態で実現されてもよい。この場合、本明細書で、仲介サーバ６０と変換サーバ１５０との間の通信として説明している通信は、仲介サーバ６０として機能し、かつ、変換サーバ１５０としても機能するプログラム内でのデータの受け渡しに置き換わることとしてよい。
【００２６】
（コンテンツサーバ１００および１１０の構成）
コンテンツサーバ１００および１１０は、多機能機１０のベンダによって提供されるオンラインサービスに用いられるサーバである。コンテンツサーバ１００および１１０は、いわゆるストレージサーバである。なお、コンテンツサーバ１００および１１０は、コンテンツサーバ１００および１１０のデータ記憶領域をユーザに貸し出すオンラインサービスに用いられるサーバであってもよい。オンラインサービスの例としては、「Ｅｖｅｒｎｏｔｅ（登録商標）」、「Ｇｏｏｇｌｅ（登録商標）  Ｄｏｃｓ」、「ＰＩＣＡＳＡ（登録商標）」、「ＦＡＣＥＢＯＯＫ（登録商標）」等の公知のサービスが挙げられる。オンラインサービスのユーザは、自己に割り当てられた記憶領域に、インターネット６経由で各種データをアップロードまたはダウンロードすることができる。
【００２７】
コンテンツサーバ１００は、ファイル記憶領域１０１を備えている。ファイル記憶領域１０１には、画像ファイルと、当該画像ファイルを識別するためのファイル情報と、を関連付けて記憶しておく領域である。
【００２８】
（仲介サーバ６０の役割）
コンテンツサーバを提供する事業者は、コンテンツサーバが記憶しているフォルダのフォルダ名や、コンテンツサーバが記憶している各種データのファイル名の返信をコンテンツサーバに要求するための専用のＡＰＩ（Application Program Interfaceの略）を公開している。従って、本実施例では、多機能機１０に多くのプログラムを格納させることなく、多機能機１０が複数個のコンテンツサーバのそれぞれからデータをダウンロードすることができるように、仲介サーバ６０が設けられている。即ち、仲介サーバ６０は、複数個の各コンテンツサーバとサービスを実行するための複数個のＡＰＩを記憶している。そして、多機能機１０が、複数個のコンテンツサーバのうちの特定のコンテンツサーバ（例えばコンテンツサーバ１００）からデータをダウンロードすべき状況では、仲介サーバ６０は、特定のコンテンツサーバとサービスを実行するためのＡＰＩを利用して、特定のコンテンツサーバと後述の様々な通信（例えば、図２のＳ３１や、図３のＳ６３などの通信）を実行する。これにより、多機能機１０は、特定のコンテンツサーバとサービスを実行するためのＡＰＩを記憶していなくても、特定のコンテンツサーバからデータをダウンロードすることが可能となる。
【００２９】
（通信システム２の動作）
通信システム２の動作を、図２〜図４のシーケンス図を用いて説明する。多機能機１０のＣＰＵ２２は、メイン画面を表示させる命令を受け付けると、Ｓ１５において、表示部１４にメイン画面を表示させる。メイン画面を表示させる命令は、ユーザによって操作部１２から入力されるとしてもよい。メイン画面を表すデータは、メモリ２４に予め格納されているとしてもよい。図５に、メイン画面２０１の一例を示す。メイン画面２０１は、ボタン画像Ｂ１〜Ｂ４を含んでいる。ボタン画像Ｂ１〜Ｂ４は、複数の機能の実行命令の入力を受け付けるための画像である。ボタン画像Ｂ１〜Ｂ４の各々によって受け付けられる機能は、Internet機能、Copy機能、FAX機能、Print機能、である。
【００３０】
本実施形態の説明例では、コンテンツサーバ１００から各種のデータをダウンロードする場合を説明する。この場合、Ｓ１６において、メイン画面２０１に含まれるボタン画像Ｂ１が選択される。Ｓ１７において多機能機１０のＣＰＵ２２は、選択されたボタン画像Ｂ１を識別するためのボタン画像識別情報を、仲介サーバ６０に送信する。ボタン画像識別情報の一例としては、ボタン画像Ｂ１の名称である「Internet」が挙げられる。
【００３１】
仲介サーバ６０のＣＰＵ７２は、多機能機１０からボタン画像識別情報を受信すると、次に多機能機１０へ送信する画面データとして、サーバ選択画面２１１を特定する。サーバ選択画面２１１は、コンテンツサーバ１００および１１０のうち、いずれかのコンテンツサーバを選択させるための画面である。
【００３２】
Ｓ１８において、仲介サーバ６０のＣＰＵ７２は、サーバ選択画面２１１を表示させるためのサーバ選択画面データを生成する。メモリ７４には、サーバ選択画面データにどのような情報を含ませる必要があるかを示す、図示しない情報が記憶されている。仲介サーバ６０のＣＰＵ７２は、この情報に従って、サーバ選択画面データを生成する。サーバ選択画面データには、サーバ選択画面２１１にボタン画像Ｂ１１およびＢ１２が含まれることを示す情報と、ボタン画像Ｂ１１およびＢ１２のいずれかを選択するための画面を表示することを示す情報と、ボタン画像Ｂ１１およびＢ１２にそれぞれサーバ名「Server 100」および「Server 110」が対応することを示す情報と、ボタン画像Ｂ１１およびＢ１２に付して表示するための文字列を示す情報と、が含まれている。Ｓ１９において、仲介サーバ６０のＣＰＵ７２は、サーバ選択画面データを多機能機１０に送信する。
【００３３】
多機能機１０のＣＰＵ２２は、仲介サーバ６０からサーバ選択画面データを受信すると、Ｓ２１において、サーバ選択画面２１１を表示部１４に表示させる。図６に示されるように、サーバ選択画面２１１は、ボタン画像Ｂ１１およびＢ１２を含んでいる。ボタン画像Ｂ１１およびＢ１２は、コンテンツサーバ１００、１１０のそれぞれの選択を受け付けるための画像である。なお、多機能機１０のＣＰＵ２２は、仲介サーバ６０から受信したサーバ選択画面データに基づいて、ボタン画像Ｂ１１およびＢ１２の画像を表示するためのビットマップ情報などを作成し、サーバ選択画面２１１を表示部１４に表示させる。このように、多機能機１０の側でビットマップ情報を作成するため、サーバ選択画面データには、ボタン画像Ｂ１１およびＢ１２の画像を表示するためのビットマップ情報は含ませる必要がない。また、図６に示される上下の矢印ボタンを表示するためのビットマップ情報も含ませる必要がない。ユーザは、操作部１２を操作して、サーバ選択画面２１１の中から、データをダウンロードするべきコンテンツサーバを表すボタン画像を選択する。本実施例では、Ｓ２２において、ユーザがボタン画像Ｂ１１（即ちコンテンツサーバ１００）を選択する場合を例として、説明を続ける。
【００３４】
Ｓ２３において多機能機１０のＣＰＵ２２は、ユーザが選択したボタン画像に対応するサービス識別情報を、仲介サーバ６０に送信する。本実施例の説明例では、サーバ名「Server 100」を含むサービス識別情報が、仲介サーバ６０に送信される。仲介サーバ６０のＣＰＵ７２は、Ｓ２４において、多機能機１０から受信したサービス識別情報に基づいて、プリント／メディア選択画面を表示させるためのプリント／メディア選択画面データを生成する。プリント／メディア選択画面は、コンテンツサーバからダウンロードしたデータを用いた処理として、印刷処理を実行するか、メディアに保存する処理を実行するか、の入力を受け付けるための画面である。メディアの一例としては、不図示のメモリーカードが挙げられる。
【００３５】
Ｓ２５において、仲介サーバ６０のＣＰＵ７２は、プリント／メディア選択画面データを多機能機１０に送信する。多機能機１０のＣＰＵ２２は、仲介サーバ６０からプリント／メディア選択画面データを受信すると、Ｓ２７において、プリント／メディア選択画面を表示部１４に表示させる。プリント／メディア選択画面は、印刷処理と、メディアへの保存処理と、のそれぞれの選択を受け付けるための画像が含まれている。プリント／メディア選択画面の内容は、前述したサーバ選択画面２１１と同様であるため、詳細な説明を省略する。Ｓ２８において、ユーザは、操作部１２を操作して、プリント／メディア選択画面の中から、実行するべき処理を表すボタン画像を選択する。本実施例では、プリント実行のボタン画像の選択が受け付けられる場合を例として、説明を続ける。
【００３６】
Ｓ２９において、多機能機１０のＣＰＵ２２は、ユーザが選択したボタン画像に対応するプリント／メディア識別情報を、仲介サーバ６０に送信する。本実施例の説明例では、プリントが選択されたことを示す情報が送信される。仲介サーバ６０のＣＰＵ７２は、Ｓ３１において、ファイル情報要求情報をコンテンツサーバ１００に送信する。ファイル情報要求情報は、ファイル情報を要求する情報である。ファイル情報は、選択されたコンテンツサーバに記憶されている複数の画像ファイルの各々を識別するための情報である。ファイル情報の一例としては、ファイル名が挙げられる。
【００３７】
コンテンツサーバ１００は、仲介サーバ６０からファイル情報要求情報を受信すると、Ｓ３３において、ファイル情報を仲介サーバ６０に送信する。
【００３８】
Ｓ３４において、仲介サーバ６０のＣＰＵ７２は、Ｓ３３において受信したデータ情報に基づいて、図７のファイル選択画面２２１を表示させるためのファイル選択画面データを生成する。ファイル選択画面２２１は、ダウンロードする画像ファイルを、ユーザに選択させるための画面である。本実施例の説明例では、ファイル選択画面データには、ファイル選択画面２２１にボタン画像Ｂ２１〜Ｂ２５が含まれることを示す情報と、ボタン画像Ｂ２１〜Ｂ２５のいずれかを選択するための画面を表示することを示す情報と、ボタン画像Ｂ２１〜Ｂ２５のそれぞれに対応するファイル名を示す情報と、が含まれている。Ｓ３５において、ＣＰＵ７２は、ファイル選択画面データを多機能機１０に送信する。
【００３９】
多機能機１０のＣＰＵ２２は、仲介サーバ６０からファイル選択画面データを受信すると、Ｓ３７において、図７のファイル選択画面２２１を表示部１４に表示させる。そしてＣＰＵ２２は、コンテンツサーバ１００に記憶されている複数の画像ファイルのうちから、選択画像ファイルを選択する処理を受け付ける。選択画像ファイルは、コンテンツサーバ１００からダウンロード対象として選択されたファイルである。ＣＰＵ２２は、複数個の選択画像ファイルを選択する処理を受け付けてもよい。図７に示されるように、ファイル選択画面２２１は、ボタン画像Ｂ２１〜Ｂ２５を含んでいる。ボタン画像Ｂ２１〜Ｂ２５の各々は、選択画像ファイルの選択を受け付けるための画像である。Ｓ３９において、ユーザは操作部１２を操作して、ファイル選択画面２２１の中から、ダウンロードしたい選択画像ファイルにアクセスするためのボタン画像を選択する。
【００４０】
Ｓ４１において、多機能機１０のＣＰＵ２２は、ユーザが選択したボタン画像に対応する選択ファイル情報を、仲介サーバ６０に送信する。選択ファイル情報は、選択画像ファイルを識別するための情報である。本実施例の説明例では、ボタン画像Ｂ２１に対応するデータが選択データとして選択されたことを示す情報が送信される。選択ファイル情報は、ＵＲＬ（Uniform Resource Locatorの略）の記述方式によって記述されていてもよい。Ｓ４３において、仲介サーバ６０のＣＰＵ７２は、選択ファイル情報に基づいて、プリント設定画面を表示させるためのプリント設定画面データを生成する。プリント設定画面は、印刷の各種パラメータ（例：画像の拡縮率、印刷の向き、用紙のサイズ、両面印刷モード、カラーモードなど）の入力を受け付けるための画面である。
【００４１】
Ｓ４５において、仲介サーバ６０のＣＰＵ７２は、プリント設定画面データを多機能機１０に送信する。多機能機１０のＣＰＵ２２は、仲介サーバ６０からプリント設定画面データを受信すると、Ｓ４７において、プリント設定画面を表示部１４に表示させる。ＣＵＰ２２は、操作部１２を介した、ユーザによるプリントの各種設定の入力を受け付ける。
【００４２】
図３のＳ５１において、多機能機１０のＣＰＵ２２は、プリント設定情報を、仲介サーバ６０に送信する。仲介サーバ６０は、多機能機１０からプリンタ設定情報を受信すると、Ｓ５３において、プレビュー選択画面データを生成する。プレビュー選択画面データによって表わされる図８のプレビュー選択画面２３１は、プレビュー画像を表示するのか否かをユーザに選択させるための画面である。プレビュー選択画面データには、プレビュー画像を表示するのか否かを問うメッセージと、プレビュー選択画面２３１にボタン画像Ｂ３１、Ｂ３２が含まれることを示す情報と、ボタン画像Ｂ３１、Ｂ３２のいずれかを選択するための画面を表示することを示す情報と、ボタン画像Ｂ３１、Ｂ３２のそれぞれに「ＯＫ」および「Ｃａｎｃｅｌ」が対応することを示す情報と、が含まれている。Ｓ５５において、仲介サーバ６０のＣＰＵ７２は、プレビュー選択画面データを多機能機１０に送信する。
【００４３】
多機能機１０のＣＰＵ２２は、仲介サーバ６０からプレビュー選択画面データを受信すると、Ｓ５７において、図８のプレビュー選択画面２３１を表示部１４に表示させる。プレビュー選択画面２３１は、プレビュー画像を表示するのか否かを問うメッセージと、ボタン画像Ｂ３１およびＢ３２と、を含んでいる。ボタン画像Ｂ３１およびＢ３２は、それぞれ、プレビュー画像の表示および非表示を受け付けるための画像である。ユーザは、操作部１２を操作して、プレビュー選択画面２３１の中から、ボタン画像Ｂ３１（即ち「ＯＫ」）又はＢ３２（即ち「Ｃａｎｃｅｌ」）を選択する。
【００４４】
Ｓ５９において、多機能機１０のＣＰＵ２２は、ユーザが選択したボタン画像に対応するプレビュー選択情報を仲介サーバ６０に送信する。仲介サーバ６０のＣＰＵ７２は、多機能機１０からプレビュー選択情報を受信すると、Ｓ６３において、仲介サーバ６０のＣＰＵ７２は、画像ファイル要求をコンテンツサーバ１００に送信する。画像ファイル要求は、選択ファイル情報によって識別される選択画像ファイルを要求するための信号である。また画像ファイル要求は、Ｓ４１で受信した選択ファイル情報を含む信号である。Ｓ６５において、仲介サーバ６０のＣＰＵ７２は、コンテンツサーバ１００から選択画像ファイルを受信し、Ｓ６７において、選択画像ファイルを変換サーバ１５０に送信する。
【００４５】
変換サーバ１５０のＣＰＵ１７２は、仲介サーバ６０から選択画像ファイルを受信すると、選択画像ファイルを識別するためのファイルＩＤを生成する。ファイルＩＤは、変換サーバ１５０によって管理される情報であり、コンテンツサーバ１００によって管理される選択ファイル情報とは異なる。ＣＰＵ１７２は、生成されたファイルＩＤと、選択画像ファイルと、を関連付けてメモリ１７４に記憶する。Ｓ６９において、ＣＰＵ１７２は、ファイルＩＤを仲介サーバ６０に送信する。
【００４６】
仲介サーバ６０のＣＰＵ７２は、変換サーバ１５０からファイルＩＤを受信すると、Ｓ７０において、プレビュー画像を表示すべきか否かを判断する。仲介サーバ６０のＣＰＵ７２は、プレビュー選択情報が「Ｃａｎｃｅｌ」を示す場合（Ｓ７０：ＮＯ）には、図４のＳ１１７に進む。一方、仲介サーバ６０のＣＰＵ７２は、プレビュー選択情報が「ＯＫ」を示す場合（Ｓ７０：ＹＥＳ）には、Ｓ７１に進む。
【００４７】
Ｓ７１において、ファイルＩＤを含むプレビュー要求を変換サーバ１５０に送信する。変換サーバ１５０のＣＰＵ１７２は、仲介サーバ６０からプレビュー要求を受信すると、ファイルＩＤによって識別される選択画像ファイルをメモリ１７４から読み出す。Ｓ７３において、ＣＰＵ１７２は、選択画像ファイルを変換して、プレビュー画像ファイルを生成する。プレビュー画像ファイルによって表わされるプレビュー画像は、多機能機１０が選択画像ファイルによって表わされる画像を印刷した場合の印刷結果を表わす。また、プレビュー画像ファイルは、多機能機１０で読み込み、表示することが可能な汎用画像フォーマットを有するデータである。さらに、ＣＰＵ１７２は、プレビューＵＲＬを生成し、プレビューＵＲＬとプレビュー画像ファイルとをファイルＩＤに関連付けてメモリ１７４に記憶する。プレビューＵＲＬは、プレビュー画像ファイルにアクセスするための情報であり、インターネット６上のプレビュー画像ファイルの位置を示す情報である。
【００４８】
Ｓ７５において、変換サーバ１５０のＣＰＵ１７２は、プレビューＵＲＬを仲介サーバ６０に送信する。仲介サーバ６０のＣＰＵ７２は、変換サーバ１５０からプレビューＵＲＬを受信すると、Ｓ７６において、第１のＮＦＣ実行命令データを生成する。第１のＮＦＣ実行命令データは、携帯端末２００とのＮＦＣ通信を実行すべきことを多機能機１０に指示するためのデータである。第１のＮＦＣ実行命令データは、プレビューＵＲＬと、ファイルＩＤと、メッセージ画面データと、を含む。メッセージ画面データは、携帯端末２００を多機能機１０に近接させることを促すメッセージを含むデータである。
【００４９】
Ｓ７７において、仲介サーバ６０のＣＰＵ７２は、第１のＮＦＣ実行命令データを多機能機１０に送信する。多機能機１０のＣＰＵ２２は、仲介サーバ６０から第１のＮＦＣ実行命令データを受信すると、Ｓ７９において、第１のＮＦＣ実行命令データに従った処理を実行する。具体的には、ＣＰＵ２２は、メッセージ画面データによって表わされる図９のメッセージ画面２４１を表示部１４に表示し、ＮＦＣ待機状態となる。上述したように、ＮＦＣ待機状態は、ＮＦＣ通信を実行し得る状態である。
【００５０】
ユーザは、携帯端末２００のメモリ２７４内の図示省略のアプリケーションプログラム（以下では「アプリ」と呼ぶ）を起動するための操作を実行する。さらに、ユーザは、アプリによって実行可能な複数のモードの中から、プレビュー画面を表示するためのプレビュー表示モードを選択する。これにより、Ｓ８０において、携帯端末２００のＣＰＵ２７２は、アプリを起動し、プレビュー表示モードを実行する。そして、ＣＰＵ２７２は、多機能機１０から情報を受信するためにＮＦＣ通信を実行し得る状態となる。
【００５１】
Ｓ８１において、ユーザは、携帯端末２００のＮＦＣ＿Ｉ／Ｆ２６８と、多機能機１０のＮＦＣ＿Ｉ／Ｆ１７と、を所定距離内に近接させる（以下では当該動作を実行することを「携帯端末２００を多機能機１０に近接させる」と記載する）。これにより、Ｓ８２において、多機能機１０のＣＰＵ２２は、携帯端末２００とのＮＦＣ通信を自動的に実行する。即ち、ＣＰＵ２２は、ＮＦＣ＿Ｉ／Ｆ１７を介して、プレビューＵＲＬとファイルＩＤとを携帯端末２００に送信する。携帯端末２００のＣＰＵ２７２は、ＮＦＣ＿Ｉ／Ｆ２６８を介して、プレビューＵＲＬとファイルＩＤとを多機能機１０から受信する。
【００５２】
Ｓ８３〜Ｓ８６の処理は、本第１実施例では実行されない。よってここでは説明を省略する。
【００５３】
Ｓ８７において、携帯端末２００のＣＰＵ２７２は、プレビューＵＲＬを含むプレビュー要求を変換サーバ１５０に送信する。プレビュー要求は、プレビュー画像を表わすプレビュー画像ファイルを要求するための信号である。変換サーバ１５０のＣＰＵ１７２は、携帯端末２００からプレビュー要求を受信すると、Ｓ８８において、プレビューＵＲＬに関連付けて格納されているプレビュー画像ファイルを携帯端末２００に送信する。
【００５４】
携帯端末２００のＣＰＵ２７２は、変換サーバ１５０からプレビュー画像ファイルを受信すると、Ｓ８９において、プレビュー画面を表示部２６４に表示する。図１０に、プレビュー画面２５１の一例を示す。プレビュー画面２５１は、プレビュー画像２５３と、ボタン画像Ｂ４１、Ｂ４２と、を含む。プレビュー画像２５３は、選択画像ファイルによって表わされる画像を印刷した場合の印刷結果を表わす画像である。ボタン画像Ｂ４１は、プレビュー画像ファイルを編集することを受け付けるための画像である。ボタン画像Ｂ４２は、画像の印刷を実行することを受け付けるための画像である。なお、プレビュー画面２５１に図１０のボタン画像Ｂ４１、Ｂ４２が含まれることを示す情報と、ボタン画像Ｂ４１、Ｂ４２のいずれかを選択するための画面を表示することを示す情報と、ボタン画像Ｂ４１、Ｂ４２のそれぞれに「編集」および「印刷」が対応することを示す情報は、携帯端末２００のメモリ２７４に予め記憶されている。ＣＰＵ２７２は、これらの情報を利用して、プレビュー画面２５１を生成することができる。
【００５５】
Ｓ９１において、携帯端末２００のＣＰＵ２７２は、プレビュー画像ファイルを編集することを受け付けるための編集指示がユーザによって入力されたのか否かを判断する。編集指示は、ボタン画像Ｂ４１を選択する選択操作と、印刷処理で利用されるパラメータを変更するためのパラメータ操作と、を含む。パラメータは、画像の拡縮率、印刷の向き（縦又は横）、用紙のサイズ（例えばＡ４、Ａ５、Ｂ４、Ｂ５）、両面印刷モード（ＯＮ又はＯＦＦ）、カラーモード（カラー又はモノクロ）等を含む。
【００５６】
まず、携帯端末２００のＣＰＵ２７２は、プレビュー画面２５１において、ボタン画像Ｂ４１が選択される場合に、図１１のプレビュー画面２６１を表示部２６４に表示させる。プレビュー画面２６１は、プレビュー画像２６３と、ボタン画像Ｂ５１〜Ｂ５３と、を含む。プレビュー画像２６３は、プレビュー画像２５３と同様である。ボタン画像Ｂ５１は、用紙のサイズの変更を受け付けるための画像である。ボタン画像Ｂ５２は、両面印刷モードのＯＮ／ＯＦＦの変更を受け付けるための画像である。ボタン画像Ｂ５３は、カラーモードのＯＮ／ＯＦＦの変更を受け付けるための画像である。上記のパラメータ操作は、プレビュー画面２６１において実行される。具体的には、拡縮率を上げたり（又は下げたり）するためのパラメータ操作は、例えば、プレビュー画像２６３において実行されるピンチイン又はピンチアウト操作である。また、印刷の向きを縦向きから横向きに変更するためのパラメータ操作は、例えば、プレビュー画像２６３において実行されるローテーションと呼ばれる操作である。
【００５７】
また、例えば、用紙のサイズを変更するためのパラメータ操作は、以下で説明する操作である。まず、ＣＰＵ２７２は、ボタン画像Ｂ５１がユーザによって選択されると、プレビュー画面２６１内に図示省略の複数個のボタン画像を表示する。複数個のボタン画像は、それぞれ、用紙のサイズをＡ４、Ａ５、Ｂ４、Ｂ５に変更するための画像である。ユーザは、複数個のボタン画像のうちの１個のボタン画像を選択する。用紙のサイズを変更するためのパラメータ操作は、ボタン画像Ｂ５１を選択し、さらに上記の１個のボタン画像を選択する操作である。両面印刷モードのＯＮ／ＯＦＦを変更するためのパラメータ操作、および、カラーモードのＯＮ／ＯＦＦを変更するためのパラメータ操作も、同様に説明される。
【００５８】
携帯端末２００のＣＰＵ２７２は、ボタン画像Ｂ４２が選択された場合（Ｓ９１：ＮＯ）に、Ｓ１１２に進む。一方、ＣＰＵ２７２は、編集指示が入力された場合（Ｓ９１：ＹＥＳ）に、Ｓ９５に進む。Ｓ９５において、ＣＰＵ２７２は、Ｓ９１のパラメータ操作の内容に応じて、第１編集情報を生成する。第１編集情報は、後述の編集済みプレビュー画像ファイルを生成するために利用される情報であり、変換サーバ１５０で解釈可能な情報である。
【００５９】
Ｓ９９において、携帯端末２００のＣＰＵ２７２は、第１編集情報とファイルＩＤとを変換サーバ１５０に送信する。変換サーバ１５０のＣＰＵ１７２は、第１編集情報とファイルＩＤとを携帯端末２００から受信すると、Ｓ１０３において、編集済みプレビュー画像ファイルを生成する。具体的には、まず、ＣＰＵ１７２は、ファイルＩＤに関連付けて格納されているプレビュー画像ファイルを特定し、第１編集情報に基づいて、プレビュー画像ファイルを編集し、編集済みプレビュー画像を表わす編集済みプレビュー画像ファイルを生成する。編集済みプレビュー画像は、パラメータ操作の内容がプレビュー画像に反映された画像である。さらに、ＣＰＵ１７２は、編集済みプレビューＵＲＬを生成し、編集済みプレビューＵＲＬと編集済みプレビュー画像ファイルとをファイルＩＤに関連付けてメモリ１７４に記憶する。編集済みプレビューＵＲＬは、編集済みプレビュー画像ファイルにアクセスするための情報であり、インターネット６上の編集済みプレビュー画像ファイルの位置を示す情報である。
【００６０】
Ｓ１０４において、変換サーバ１５０のＣＰＵ１７２は、編集済みプレビューＵＲＬを携帯端末２００に送信する。携帯端末２００のＣＰＵ２７２は、変換サーバ１５０から編集済みプレビューＵＲＬを受信すると、編集済みプレビューＵＲＬを含む編集済みプレビュー要求を変換サーバ１５０に送信する。編集済みプレビュー要求は、編集済みプレビュー画像ファイルを要求するための信号である。変換サーバ１５０のＣＰＵ１７２は、携帯端末２００から編集済みプレビュー要求を受信すると、Ｓ１０７において、編集済みプレビューＵＲＬに関連付けて格納されている編集済みプレビュー画像ファイルを携帯端末２００に送信する。
【００６１】
携帯端末２００のＣＰＵ２７２は、変換サーバ１５０から編集済みプレビュー画像ファイルを受信すると、Ｓ１０９において、編集済みプレビュー画面を表示部２６４に表示する。図１２に、編集済みプレビュー画面２７１の一例を示す。編集済みプレビュー画面２７１は、Ｓ９１において、拡縮率を上げるためのパラメータ操作（即ちピンチアウト）が実行された場合の例である。編集済みプレビュー画面２７１は、編集済みプレビュー画像２７３と、ボタン画像Ｂ６１、Ｂ６２と、を含む。編集済みプレビュー画像２７３は、選択画像ファイルによって表わされる画像を印刷媒体に印刷した場合の印刷結果を表わす画像であり、第１編集情報が反映された画像である。編集済みプレビュー画像２７３は、プレビュー画像２５３が拡大された画像に対応する。ボタン画像Ｂ６１、Ｂ６２は、それぞれ、ボタン画像Ｂ４１、Ｂ４２と同様である。Ｓ１０９が終了すると、Ｓ９１に戻る。Ｓ１０９を経て実行されるＳ９１において、ＣＰＵ２７２は、編集済みプレビュー画像ファイルを編集することを受け付けるための編集指示がユーザによって入力されたのか否かを判断する。
【００６２】
上述したように、Ｓ９１でＮＯと判断される場合に、Ｓ１１０に進む。Ｓ１１０は、図３のＳ８１と同様である。Ｓ１１２において、携帯端末２００のＣＰＵ２７２は、印刷指示を生成する。印刷指示は、選択画像ファイルに対する印刷を多機能機１０に実行させるための指示であり、ファイルＩＤを含む。なお、Ｓ９１において１回以上の編集指示が入力された（即ちＳ９１で１回以上ＹＥＳと判断された）場合、印刷指示は、さらに、第２編集情報を含む。２回の編集指示が入力された場合の一例は、１回目のＳ９１において、拡縮率を上げるためのパラメータ操作（即ちピンチアウト）が実行され、２回目のＳ９１において、カラーモードをＯＮするためのパラメータ操作が実行された場合である。第２編集情報は、１回以上の編集指示が入力されたことによって生成された１個以上の第１編集情報に対応する情報であり、後述の印刷データを生成するために利用される情報である。上記の一例では、第２編集情報は、２個の第１編集情報（即ち、拡縮率を上げるためのパラメータ操作に対応する第１編集情報と、カラーモードをＯＮするためのパラメータ操作に対応する第１編集情報）に対応する。また、第２編集情報は、変換サーバ１５０で解釈可能な情報である。Ｓ１１４において、ＣＰＵ２７２は、ＮＦＣ＿Ｉ／Ｆ２６８を介して、印刷指示を多機能機１０に送信する。
【００６３】
多機能機１０のＣＰＵ２２は、ＮＦＣ＿Ｉ／Ｆ１７を介して、携帯端末２００から印刷指示を受信すると、Ｓ１１５において、印刷実行命令要求を仲介サーバ６０に送信する。印刷実行命令要求は、印刷実行命令データを要求するための信号であり、ファイルＩＤを含む。仲介サーバ６０のＣＰＵ７２は、携帯端末２００から印刷ＵＲＬ要求を受信すると、Ｓ１１７において、印刷ＵＲＬ要求を変換サーバ１５０に送信する。印刷ＵＲＬ要求は、印刷ＵＲＬを要求するための信号であり、ファイルＩＤを含む。印刷ＵＲＬは、後述の印刷データにアクセスするための情報であり、インターネット６上の印刷データの位置を示す情報である。
【００６４】
変換サーバ１５０のＣＰＵ１７２は、仲介サーバ６０から印刷ＵＲＬ要求を受信すると、Ｓ１１９において、印刷データを生成する。具体的には、まず、ＣＰＵ１７２は、印刷ＵＲＬ要求内のファイルＩＤに関連付けて格納されている選択画像ファイルを特定し、選択画像ファイルに対応する印刷データを生成する。選択画像ファイルが、多機能機１０が解釈可能なデータ形式を有する場合では、印刷データは、選択画像ファイル自体であってもよい。また、選択画像ファイルが、多機能機１０が解釈可能なデータ形式を有さない場合では、印刷データは、多機能機１０が解釈可能なデータ形式を有するように、選択画像ファイルが変換されたデータであってもよい。なお、各請求項に記載の「対象画像データ」は、対象画像ファイルのみならず、印刷データも含む。さらに、ＣＰＵ１７２は、印刷ＵＲＬを生成し、印刷ＵＲＬと印刷データと関連付けてメモリ１７４に記憶する。印刷ＵＲＬは、印刷データにアクセスするための情報であり、インターネット６上の印刷データの位置を示す情報である。
【００６５】
Ｓ１２１において、変換サーバ１５０のＣＰＵ１７２は、印刷ＵＲＬを仲介サーバ６０に送信する。仲介サーバ６０のＣＰＵ７２は、変換サーバ１５０から印刷ＵＲＬを受信すると、Ｓ１２２において、印刷実行命令を生成し、Ｓ１２３において、印刷実行命令を多機能機１０に送信する。印刷命令は、選択画像ファイルに対する印刷を多機能機１０に実行させるための指示であり、印刷ＵＲＬを含む。多機能機１０のＣＰＵ２２は、仲介サーバ６０から印刷実行命令を受信すると、Ｓ１２５において、印刷実行命令に従った処理を実行する。具体的には、ＣＰＵ２２は、印刷データ要求を変換サーバ１５０に送信する。印刷データ要求は、印刷データを要求するための信号であり、印刷ＵＲＬを含む。
【００６６】
変換サーバ１５０のＣＰＵ１７２は、多機能機１０から印刷データ要求を受信すると、印刷データ要求内の印刷ＵＲＬに関連付けて格納されている印刷データを特定し、Ｓ１２７において、印刷データを多機能機１０に送信する。多機能機１０のＣＰＵ２２は、変換サーバ１５０から印刷データを受信すると、Ｓ１２９において、Ｓ１２３の印刷命令に従って、印刷データの印刷を印刷実行部１８に実行させることができる。
【００６７】
（第１実施例の効果）
本実施例の通信システム２では、携帯端末２００は、ＮＦＣ方式に従って、プレビュー画像ファイルにアクセスするためのプレビューＵＲＬを多機能機１０から受信する（図３のＳ８２）。携帯端末２００は、プレビューＵＲＬの受信に応じて、変換サーバ１５０からプレビュー画像ファイルを受信すると（図４のＳ８８）、プレビュー画像ファイルによって表わされるプレビュー画像を表示する（Ｓ８９、図１０）。多機能機１０は、プレビューＵＲＬが携帯端末２００に受信された後に、ＮＦＣ方式に従って、携帯端末２００から印刷指示を受信すると（図４のＳ１１４）、変換サーバ１５０から印刷データを受信して（Ｓ１２７）、印刷データの印刷を実行する（Ｓ１２９）。即ち、携帯端末２００は、印刷データの印刷が実行される前に、選択画像ファイルに関係するプレビュー画像を表示して、印刷結果に関する情報をユーザに提供する。従って、ユーザは、携帯端末２００に表示されたプレビュー画像を見ることによって、印刷が実行される前に、印刷結果を確認することができる。
【００６８】
本実施例の通信システム２では、携帯端末２００は、第１編集情報に基づいて生成された編集済みプレビュー画像ファイルによって表わされる編集済みプレビュー画像を表示する（図４のＳ１０９）。また、多機能機１０は、第２編集情報（即ち、第１編集情報に対応する情報）に基づいて対象画像ファイルの印刷を実行する（Ｓ１２９）。ユーザは、携帯端末２００に表示された編集済みプレビュー画像を見ることによって、印刷が実行される前に、第２編集情報に基づいた印刷結果を確認することができる。また、変換サーバ１５０は、ファイルＩＤを利用して、対象画像ファイルと第１編集情報とを関連付けることができる。そのため、携帯端末２００は、多機能機１０を介さずに、第１編集情報とファイルＩＤとを変換サーバ１５０に送信することによって（Ｓ９９）、変換サーバ１５０から編集済みプレビュー画像ファイルを受信する（Ｓ１０７）。即ち、ユーザは、編集済みプレビュー画像を見るために、携帯端末２００を多機能機１０に近接させてＮＦＣ通信を実行させなくてもよいので、利便性が向上する。
【００６９】
本実施例の通信システム２では、ユーザは、携帯端末２００に第１編集情報を生成させるための操作を携帯端末２００の操作部２６２に入力する。携帯端末２００の操作部２６２は、多機能機１０の操作部１２よりも操作性が高いので、操作を入力する際のユーザの利便性を高くすることができる。
【００７０】
本実施例の通信システム２によれば、複数個の画像ファイルの中から選択画像ファイルを適切に選択することができる（Ｓ３９）。
【００７１】
（第２実施例）
本第２実施例では、携帯端末２００は、ＮＦＣ＿Ｉ／Ｆ２６８を介して第１編集情報を多機能機１０に送信し、ＮＦＣ＿Ｉ／Ｆ２６８を介して多機能機１０から編集済みプレビューＵＲＬを受信する。
【００７２】
（通信システム２の動作）
通信システム２の動作を、図２、図３、図１３および図１４のシーケンス図を用いて説明する。図２のＳ１５〜図３のＳ８２までの処理は、第１実施例と同様である。ただし、本実施例では、Ｓ７６、Ｓ７７の第１のＮＦＣ実行命令データは、ファイルＩＤを含まない。また、Ｓ８２において、ファイルＩＤは、多機能機１０から携帯端末２００に送信されない。
【００７３】
Ｓ８３において、多機能機１０のＣＰＵ２２は、第２のＮＦＣ実行命令要求を仲介サーバ６０に送信する。第２のＮＦＣ実行命令要求は、第２のＮＦＣ実行命令データを要求するための信号である。仲介サーバ６０のＣＰＵ７２は、多機能機１０から第２のＮＦＣ実行命令要求を受信すると、Ｓ８４において、第２のＮＦＣ実行命令データを生成する。ＮＦＣ実行命令データは、印刷選択画面データを含む。印刷選択画面データは、ユーザがプレビュー画像を編集することを望む場合に、携帯端末２００を多機能機１０に近接させることを促すメッセージと、ユーザが画像を印刷することを望む場合に、ボタン画像Ｂ７１を選択することを促すメッセージと、ボタン画像Ｂ７１が含まれることを示す情報と、ボタン画像Ｂ７１を選択可能な画面を表示することを示す情報と、ボタン画像Ｂ７１に「ＯＫ」が対応することを示す情報と、が含まれている。Ｓ８５において、仲介サーバ６０のＣＰＵ７２は、第２のＮＦＣ実行命令データを多機能機１０に送信する。
【００７４】
多機能機１０のＣＰＵ２２は、仲介サーバ６０から第２のＮＦＣ実行命令データを受信すると、Ｓ８６において、第２のＮＦＣ実行命令データに従った処理を実行する。具体的には、ＣＰＵ２２は、印刷画面選択データによって表わされる図１５の印刷選択画面２８１を表示部１４に表示し、ＮＦＣ待機状態を維持する。印刷選択画面２８１は、プレビュー画像ファイルの編集を指示する第１のオプション、又は、印刷の実行を指示する第２のオプションを選択するための画面である。印刷選択画面２８１は、携帯端末２００を多機能機１０に近接させることを促すメッセージと、ユーザが画像を印刷することを望む場合に、ボタン画像Ｂ７１を選択することを促すメッセージと、ボタン画像Ｂ７１と、を含む。
【００７５】
図１３のＳ２８７〜Ｓ２９５は、図４のＳ８７〜Ｓ９５と同様である。Ｓ２９７において、多機能機１０のＣＰＵ２２は、プレビュー画像ファイルの印刷の実行を指示するボタン画像Ｂ７１が選択されたのか否かを判断する。ＣＰＵ２２は、印刷選択画面２８１においてボタン画像Ｂ７１がユーザによって選択された場合（第２のオプションが選択された場合、Ｓ２９７：ＹＥＳ）に、図１４のＳ３２３に進む。一方、ＣＰＵ２２は、印刷選択画面２８１においてボタン画像Ｂ７１がユーザによって選択されずに、Ｓ２９９の処理が実行された場合（第１のオプションが選択された場合、Ｓ２９７：ＮＯ）に、ＮＦＣ待機状態を維持する。
【００７６】
Ｓ２９９において、ユーザは、携帯端末２００のＮＦＣ＿Ｉ／Ｆ２６８と、多機能機１０のＮＦＣ＿Ｉ／Ｆ１７と、を所定距離内に近接させることで、携帯端末２００とのＮＦＣ通信を自動的に実行する。Ｓ３００において、携帯端末２００のＣＰＵ２７２は、ＮＦＣ＿Ｉ／Ｆ２６８を介して、第１編集情報を多機能機１０に送信する。多機能機１０のＣＰＵ２２は、ＮＦＣ＿Ｉ／Ｆ１７を介して、携帯端末２００から第１編集情報を受信すると、Ｓ３０１において、第１編集情報を仲介サーバ６０に送信する。仲介サーバ６０のＣＰＵ７２は、多機能機１０から第１編集情報を受信すると、図３のＳ６９で受信されたファイルＩＤを特定し、Ｓ３０３において、ファイルＩＤと第１編集情報とを変換サーバ１５０に送信する。
【００７７】
Ｓ３０５は、図４のＳ１０３と同様である。Ｓ３０７において、変換サーバ１５０のＣＰＵ１７２は、編集済みプレビューＵＲＬを仲介サーバ６０に送信する。仲介サーバ６０のＣＰＵ７２は、仲介サーバ６０から編集済みプレビューＵＲＬを受信すると、Ｓ３０８において第３のＮＦＣ実行命令データを生成する。第３のＮＦＣ実行命令データは、携帯端末２００とのＮＦＣ通信を実行すべきことを多機能機１０に指示するためのデータである。第３のＮＦＣ実行命令データは、編集済みプレビューＵＲＬと、メッセージ画面データと、を含む。メッセージ画面データは、携帯端末２００を多機能機１０に近接させることを促すメッセージを含むデータである。
【００７８】
Ｓ３０９において、仲介サーバ６０のＣＰＵ７２は、第３のＮＦＣ実行命令データを多機能機１０に送信する。多機能機１０のＣＰＵ２２は、仲介サーバ６０から第３のＮＦＣ実行命令データを受信すると、Ｓ３１１において、第３のＮＦＣ実行命令データに従った処理を実行する。具体的には、ＣＰＵ２２は、メッセージ画面データによって表わされる図９のメッセージ画面２４１を表示部１４に表示し、ＮＦＣ待機状態となる。
【００７９】
Ｓ３１２において、ユーザは、携帯端末２００のＮＦＣ＿Ｉ／Ｆ２６８と、多機能機１０のＮＦＣ＿Ｉ／Ｆ１７と、を所定距離内に近接させることで、携帯端末２００とのＮＦＣ通信を自動的に実行する。Ｓ３１３において、多機能機１０のＣＰＵ２２は、ＮＦＣ＿Ｉ／Ｆ１７を介して、編集済みプレビューＵＲＬを携帯端末２００に送信する。Ｓ３１４〜図１４のＳ３２３は、それぞれ、図４のＳ１０５〜Ｓ１１５と同様である。ただし、Ｓ３１９、Ｓ３２１の印刷指示は、ファイルＩＤを含まない。また、Ｓ３２３の印刷実行命令要求は、ファイルＩＤを含まない。
【００８０】
仲介サーバ６０のＣＰＵ７２は、多機能機１０からＳ３２３の印刷ＵＲＬ要求を受信すると、図３のＳ６９で受信されたファイルＩＤを特定し、Ｓ３２５において、ファイルＩＤを含む印刷ＵＲＬ要求を変換サーバ１５０に送信する。Ｓ３２７〜Ｓ３３７は、それぞれ、図４のＳ１１９〜Ｓ１２９と同様である。
【００８１】
（第２実施例の効果）
本実施例の通信システム２では、第１実施例と同様に、ユーザは、携帯端末２００に表示されたプレビュー画像を見ることによって、印刷が実行される前に、印刷結果を確認することができる。
【００８２】
本実施例の通信システム２では、ユーザは、携帯端末２００に表示された編集済みプレビュー画像を見ることによって、印刷が実行される前に、第２編集情報（即ち、第１編集情報に対応する情報）に基づいた印刷結果を確認することができる。また、携帯端末２００は、編集指示が入力されたのか否かに応じて（図１３のＳ２９１）、編集済みプレビュー画像を表示することができる（Ｓ３１６）。
【００８３】
本実施例の通信システム２では、多機能機１０は、第１のオプションが選択される場合（図１３のＳ２９７：ＮＯ）には、第２編集情報に基づいて画像の印刷を実行することができる（図１４のＳ３３７）。一方、多機能機１０は、第２のオプションが選択される場合（図１３のＳ２９７：ＹＥＳ）には、第２編集情報に基づかずに画像の印刷を実行することができる（図１４のＳ３３７）。
【００８４】
本実施例の通信システム２では、第１実施例と同様に、携帯端末２００の操作部２６２に操作を入力する際のユーザの利便性を高くすることができる。
【００８５】
本実施例の通信システム２では、ユーザは、複数個の画像ファイルの中から対象画像ファイルを適切に選択することができる。
【００８６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例が含まれる。
【００８７】
（変形例）
多機能機１０は、ＮＦＣ＿Ｉ／Ｆ１７を備える代わりに、例えば、Transfer Jet（登録商標）のためのＩ／Ｆを備えていてもよい。また、携帯端末２００は、ＮＦＣ＿Ｉ／Ｆ２６８を備える代わりに、例えば、Transfer JetのためのＩ／Ｆを備えていてもよい。即ち、「近距離無線通信方式」は、ＮＦＣ方式に限られない。
【００８８】
第２実施例では、図３のＳ８３〜Ｓ８６と、図１３のＳ２９７と、が実行されなくてもよい。即ち、画像処理装置の「表示部」及び「表示制御手段」は省略可能である。
【００８９】
携帯端末２００は、表示部２６４から離れた位置に、操作部２６２（即ちタッチパネル）とは異なる操作部を備えていてもよく、当該操作部は、複数のキーを備えていてもよい。携帯端末２００は、図４のＳ９５において、当該操作部において実行されるパラメータ操作の内容に応じて、第１編集情報を生成してもよい。
【００９０】
「変換済み画像」は、プレビュー画像でなくてもよく、例えば、サムネイル画像であってもよい。一般的に言うと、「変換済み画像」は、「対象画像データ」によって表わされる画像を変換することによって生成される画像データによって表わされる画像であればよい。
【００９１】
「画像処理」は、印刷処理に限られず、例えば、ＦＡＸ送信処理等であってもよい。
【００９２】
本実施形態では、多機能機１０、仲介サーバ６０、変換サーバ１５０、携帯端末２００のＣＰＵ２２、７２、１７２、２７２がソフトウェアに従って処理を実行する場合を説明したが、この形態に限られない。ソフトウェアに従って実現される機能のうちの少なくとも一部は、論理回路のハードウェアによって実現されてもよい。
【００９３】
仲介サーバ６０および変換サーバ１５０は、中継装置の一例である。多機能機１０は、画像処理装置の一例である。携帯端末２００は、端末装置の一例である。コンテンツサーバ１００および１１０はサーバ装置の一例である。ネットワークＩ／Ｆ６２及び１６２は、中継装置の通信部の一例である。ネットワークＩ／Ｆ１６は、画像処理装置の第１の通信部の一例である。ＮＦＣ＿Ｉ／Ｆ１７は、画像処理装置の第２の通信部の一例である。ネットワークＩ／Ｆ２６６は、端末装置の第３の通信部の一例である。ＮＦＣ＿Ｉ／Ｆ２６８は、端末装置の第４の通信部の一例である。ＮＦＣ方式は、近距離無線通信方式の一例である。プレビュー画像ファイルは、変換済みデータの一例である。プレビュー画像は、変換済み画像の一例である。編集済みプレビュー画像ファイルは、編集済みデータの一例である。編集済みプレビュー画像は、編集済み画像の一例である。プレビューＵＲＬは、第１のアクセス情報の一例である。編集済みプレビューＵＲＬは、第２のアクセス情報の一例である。印刷処理は、画像処理の一例である。印刷指示は、画像処理命令の一例である。印刷ＵＲＬ要求は、要求信号の一例である。ファイルＩＤは、識別情報の一例である。第１編集情報は、特定情報の一例である。ファイル情報は、対応情報の一例である。選択ファイル情報は、対象対応情報の一例である。図３のＳ６５を実行するＣＰＵは、中継装置の第１の画像データ受信手段の一例である。図３のＳ７３を実行するＣＰＵは、中継装置の変換手段の一例である。図３のＳ７７を実行するＣＰＵは、中継装置の第１の情報送信手段、および、画像処理装置の第１の情報受信手段の一例である。図３のＳ８２を実行するＣＰＵは、画像処理装置の第２の情報送信手段、および、端末装置の第２の情報受信手段の一例である。図４のＳ８８、図１３のＳ２８８を実行するＣＰＵは、端末装置の変換済みデータ受信手段の一例である。図４のＳ８９、Ｓ１０９、図１３のＳ２８９、Ｓ３１６を実行するＣＰＵは、端末装置の表示制御手段の一例である。図４のＳ１１４、図１４のＳ３２１を実行するＣＰＵは、端末装置の処理命令送信手段、および、画像処理装置の処理命令受信手段の一例である。図４のＳ１１５、図１４のＳ３２３を実行するＣＰＵは、画像処理装置の要求送信手段、および、中継装置の要求受信手段の一例である。図４のＳ１２７、図１４のＳ３３５を実行するＣＰＵは、中継装置の画像データ送信手段、および、画像処理装置の第２の画像データ受信手段の一例である。図４のＳ１２９、図１４のＳ３３７を実行するＣＰＵは、画像処理装置の画像処理手段の一例である。図４のＳ９５、図１３のＳ２９５を実行するＣＰＵは、端末装置の生成手段の一例である。図４のＳ９９を実行するＣＰＵは、端末装置の特定情報送信手段、および、中継装置の特定情報受信手段の一例である。図４のＳ１０３、図１３のＳ３０５を実行するＣＰＵは、中継装置の編集手段の一例である。図４のＳ１０７、図１３のＳ３１５を実行するＣＰＵは、中継装置の編集済みデータ送信手段、および、端末装置の編集済みデータ受信手段の一例である。図１３のＳ２９１を実行するＣＰＵは、端末装置の第１の受付手段の一例である。図１３のＳ３００を実行するＣＰＵは、端末装置の特定情報送信手段、および、画像処理装置の特定情報受信手段の一例である。図１３のＳ３０１を実行するＣＰＵは、画像処理装置の第３の情報送信手段、および、中継装置の第３の情報受信手段の一例である。図１３のＳ３０９を実行するＣＰＵは、中継装置の第４の情報送信手段、および、画像処理装置の第４の情報受信手段の一例である。図１３のＳ３１３を実行するＣＰＵは、画像処理装置の第５の情報送信手段、および、端末装置の第５の情報受信手段の一例である。図３のＳ８６を実行するＣＰＵは、画像処理装置の表示制御手段の一例である。図２のＳ３３を実行するＣＰＵは、中継装置の第６の情報受信手段の一例である。図２のＳ３５を実行するＣＰＵは、中継装置の第６の情報送信手段の一例である。図２のＳ３９を実行するＣＰＵは、画像処理装置の第２の受付手段の一例である。図２のＳ４１を実行するＣＰＵは、画像処理装置の第８の送信手段の一例である。
【符号の説明】
【００９４】
２：通信システム、１０：多機能機、１２：操作部、１４、２６２：表示部、１６、６２、１６２、２６４：ネットワークインターフェイス、１７、２６６：ＮＦＣインターフェイス、１８：印刷実行部、１９：スキャン実行部、２０、７０、１７０、２７０：制御部、２２、７２、１７２、２７２：ＣＰＵ、２４、７４、１７４、２７４：メモリ、２５、７５、１７５、２７５：プログラム、６０：仲介サーバ、１００、１１０：コンテンツサーバ、１０１：ファイル記憶領域、１５０：変換サーバ、２００：携帯端末、２０１：メイン画面、２１１：サーバ選択画面、２２１：ファイル選択画面、２３１：プレビュー選択画面、２４１：メッセージ画面、２５１：プレビュー画面、２５３：プレビュー画像、２６１：プレビュー画面、２６３：プレビュー画像、２７１：編集済みプレビュー画面、２７３：編集済みプレビュー画像、２８１：印刷選択画面、Ｂ１〜Ｂ７１：ボタン画像
【図１】
0006547479.tif 000002
【図２】
0006547479.tif 000003
【図３】
0006547479.tif 000004
【図４】
0006547479.tif 000005
【図５】
0006547479.tif 000006
【図６】
0006547479.tif 000007
【図７】
0006547479.tif 000008
【図８】
0006547479.tif 000009
【図９】
0006547479.tif 000010
【図１０】
0006547479.tif 000011
【図１１】
0006547479.tif 000012
【図１２】
0006547479.tif 000013
【図１３】
0006547479.tif 000014
【図１４】
0006547479.tif 000015
【図１５】
0006547479.tif 000016